(57)【要約】【課題】折り畳みやすく、スムーズに拡げることができるハンカチを提供する。【解決手段】布材で形成された長方形状又は正方形状のハンカチ１１であって、ハンカチは、プリーツ加工による縦方向山折り目１２と縦方向谷折り目１３とが所定の間隔を開けて設けられており、縦方向山折り目と縦方向谷折り目とに沿って折り畳んだ状態において、一条の又は複数条のプリーツ加工による横方向山折り目１４と横方向谷折り目１５とが所定の間隔に設けられており、縦方向山折り目と縦方向谷折り目とに沿って折り畳んで、横方向山折り目と前記横方向谷折り目とに沿って折り畳んだ状態で、折り畳みハンカチ１６が形成できる構成であり、折り畳みハンカチの展開、及び折り畳みハンカチへの折り畳みが即時に可能な構成である。【選択図】図６
0003231140.tif 000002
【実用新案登録請求の範囲】
【請求項１】
布材で形成された長方形状又は正方形状のハンカチであって、
該ハンカチは、
プリーツ加工による縦方向山折り目と縦方向谷折り目とが所定の間隔を開けて設けられており、
前記縦方向山折り目と前記縦方向谷折り目とに沿って折り畳んだ状態において、一条の又は複数条のプリーツ加工による横方向山折り目と横方向谷折り目とが所定の間隔に設けられており、
前記縦方向山折り目と前記縦方向谷折り目とに沿って折り畳んで、前記横方向山折り目と前記横方向谷折り目とに沿って折り畳んだ状態で、折り畳みハンカチが形成できる構成であり、
該折り畳みハンカチの展開、及び該折り畳みハンカチへの折り畳みが即時に可能な構成であること
を特徴とするハンカチ。
【請求項２】
前記長方形状のハンカチは、縦方向寸法が３７０〜３９０ｍｍの範囲であり、横方向寸法が３４０〜３６０ｍｍの範囲であり、又は縦横比が１０：８の比率であること
を特徴とする請求項１に記載のハンカチ。
【考案の詳細な説明】
【技術分野】
【０００１】
本考案は、折り畳みやすく、スムーズに拡げることができるハンカチに関するものである。
【背景技術】
【０００２】
従来のハンカチは、綿や麻あるいは絹などの吸水性に優れた布材が用いられて、一辺の寸法が３０〜５０ｃｍ程度の正方形に形成されたものが一般に知られている。
【０００３】
このようなハンカチにおいては、例えば、小物類を収納するためのポケットが設けられたハンカチ（特許文献１参照）や、濡れると文字や図柄が浮かび上がるハンカチ（特許文献２参照）が公知である。
【先行技術文献】
【特許文献】
【０００４】
【特許文献１】実用新案登録第３２２４０９６号公報
【特許文献２】実用新案登録第３１９５７６３号公報
【考案の概要】
【考案が解決しようとする課題】
【０００５】
これら従来例のハンカチにおいては、三つ折りあるいは四つ折りに素早くキチンと折り畳みにくいという欠点を有している。即ち、洗濯をするたびに、アイロンを掛けて折り目を作って折り畳む作業をおこなう必要があり、作業手間が掛かると共に、アイロンを掛ける際に電力を消費するという問題点を有している。
【０００６】
従って、従来例におけるハンカチにおいては、アイロン掛けの作業をおこなわなくても、素早く折り畳めるようにすることによって、アイロン掛けの作業手間を省くことと、電力を消費しないことで循環型の生活スタイルを実現することとに解決しなければならない課題を有している。
【課題を解決するための手段】
【０００７】
前記従来例の課題を解決するための本考案の要旨は、布材で形成された長方形状又は正方形状のハンカチであって、該ハンカチは、プリーツ加工による縦方向山折り目と縦方向谷折り目とが所定の間隔を開けて設けられており、前記縦方向山折り目と前記縦方向谷折り目とに沿って折り畳んだ状態において、一条の又は複数条のプリーツ加工による横方向山折り目と横方向谷折り目とが所定の間隔に設けられており、前記縦方向山折り目と前記縦方向谷折り目とに沿って折り畳んで、前記横方向山折り目と前記横方向谷折り目とに沿って折り畳んだ状態で、折り畳みハンカチが形成できる構成であり、該折り畳みハンカチの展開、及び該折り畳みハンカチへの折り畳みが即時に可能な構成であることである。
【０００８】
また、前記長方形状のハンカチは、縦方向寸法が３７０〜３９０ｍｍの範囲であり、横方向寸法が３４０〜３６０ｍｍの範囲であり、又は縦横比が１０：８の比率であること、；
を含むものである。
【考案の効果】
【０００９】
本考案に係るハンカチによれば、縦方向山折り目と縦方向谷折り目とに沿って折り畳んでから、横方向山折り目と横方向谷折り目とに沿って折り畳めば、長方形状又は正方形状の折り畳みハンカチが形成できる。
縦方向山折り目、縦方向谷折り目、横方向山折り目、及び横方向谷折り目は、いずれもプリーツ加工で折り目がシッカリと形成されるので、折り畳みハンカチの展開と、折り畳みハンカチへの折り畳みとが素早く簡単に行える。
また、アイロン掛けの作業が必要ないので、作業手間を省くことができるだけでなく、電力を消費しないことで循環型の生活スタイルを実現できる。
さらには、ハンカチを持つ習慣につながることとなり、その場合、公共施設等のジェットタオルやペーパータオルを使用しないことで循環型の生活スタイルを実現できるという種々の優れた効果を奏する。
【００１０】
また、長方形状のハンカチは、縦方向寸法が３７０〜３９０ｍｍの範囲であり、横方向寸法が３４０〜３６０ｍｍの範囲であり、又は縦横比が１０：８の比率であることによって、ハンカチを三つ折り及び四つ折りにすると、ズボンのバックポケットやジャケットの胸ポケットに納まるサイズであると共に、ポケットの上部から折り畳みハンカチが少し覗くこととなり、ファッション性としても優れた効果を奏する。
【図面の簡単な説明】
【００１１】
【図１】本考案に係るハンカチの正面図である。
【図２】縦方向山折り目と縦方向谷折り目とに沿って折り畳む状態の斜視図である。
【図３】縦方向山折り目と縦方向谷折り目とに沿って折り畳んだ状態の斜視図である。
【図４】横方向山折り目と横方向谷折り目とに沿って折り畳む状態の斜視図である。
【図５】折り畳みハンカチの斜視図である。
【図６】折り畳みハンカチの展開手順及び折り畳みハンカチへの折り畳み手順を説明する説明図である。
【考案を実施するための形態】
【００１２】
次に、本考案の実施の形態について図面を参照しながら説明する。まず、図１において、符号１１はハンカチを示し、このハンカチ１１は、綿、麻、絹、ポリエステル、その他の化学繊維などの吸水性を備える布材で形成されており、望ましくは長方形状に、あるいは正方形状に形成される。
【００１３】
ハンカチ１１の形状が長方形状の場合は、縦方向寸法が３７０〜３９０ｍｍの範囲で、望ましくは３８０ｍｍであり、横方向寸法が３４０〜３６０ｍｍの範囲で、望ましくは３５０ｍｍである。あるいは、ハンカチ１１の縦：横の比率が、１０：８の比率であることが望ましい。
これらの寸法あるいは比率の場合は、ハンカチ１１を三つ折り及び四つ折りにすると、ズボンのバックポケットやジャケットの胸ポケットに納まるサイズになると共に、ポケットの上部から折り畳みハンカチが少し覗くこととなり、ファッション性に優れるという特徴がある。
なお、これらの寸法又は比率以外にもハンカチ１１の形状を適宜に大きく形成し、あるいは小さく形成してもよいことは勿論である。
【００１４】
ハンカチ１１は、図１に示すように、プリーツ加工による縦方向山折り目１２と、縦方向谷折り目１３とが所定の間隔を開けて設けられている。
この縦方向山折り目１２と縦方向谷折り目１３とに沿って折り畳むと（図２参照）、図３に示すように、縦長に折り畳まれた形状に形成される。
【００１５】
このように縦方向山折り目１２と縦方向谷折り目１３とに沿って折り畳んだ状態（図２参照）において、図３に示すように、プリーツ加工による二条の横方向山折り目１４と、一条の横方向谷折り目１５とが所定の間隔又は等間隔に設けられる。
この場合、ハンカチ１１を拡げると、図１に示すように、横方向山折り目１４と横方向谷折り目１５とが、縦方向山折り目１２及び縦方向谷折り目１３を介して、交互に現れることとなる。
なお、プリーツ加工は、布地に簡単に取れない折りひだを付ける加工である。
【００１６】
以上のように構成されるハンカチ１１は、図２から図４に示すように、縦方向山折り目１２と縦方向谷折り目１３とに沿って折り畳んでから、横方向山折り目１４と横方向谷折り目１５とに沿って折り畳んだ状態で、図５に示すように、長方形状（又は正方形状）の折り畳みハンカチ１６が形成される。
縦方向山折り目１２、縦方向谷折り目１３、横方向山折り目１４、及び横方向谷折り目１５は、いずれもプリーツ加工で折り目がシッカリと形成されるので、折り畳みハンカチ１６の展開と、折り畳みハンカチ１６への折り畳みとが素早く簡単に行える（図６参照）。
また、アイロン掛けの作業が必要ないので、作業手間を省くことができるだけでなく、電力を消費しないことで循環型の生活スタイルを実現できる。
さらには、ハンカチ１１を持つ習慣につながることとなり、その場合、公共施設等のジェットタオルやペーパータオルを使用しないことで循環型の生活スタイルを実現できることとなる。
【符号の説明】
【００１７】
１１  ハンカチ
１２  縦方向山折り目
１３  縦方向谷折り目
１４  横方向山折り目
１５  横方向谷折り目
１６  折り畳みハンカチ
【図１】
0003231140.tif 000003
【図２】
0003231140.tif 000004
【図３】
0003231140.tif 000005
【図４】
0003231140.tif 000006
【図５】
0003231140.tif 000007
【図６】
0003231140.tif 000008